(57)【要約】      （修正有）【課題】麦飯石の遠赤外線効果を利用して暖房効果を高めることができる麦飯石マットを提供する。【解決手段】２枚のシート素材の間に、導電性細長材を複数本並列に配設し、同導電性細長材に駆動用電源より導電部を介して通電して所定の熱を発する電熱シートと、電熱シートを挿入した袋状のカバー部材１７と、上記電熱シートの上方に積層され、カバー部材１７上に設けた麦飯石層１５とで構成された麦飯石マット１０である。このように、上方に設けた麦飯石層１５の麦飯石による遠赤外線効果を利用することにより、電熱シートから発する熱を効率良く人体に浸透させ、これにより、暖房機能を高めることができる。【選択図】図１
0003158041.tif 000002
【実用新案登録請求の範囲】
【請求項１】
２枚のシート素材の間に、導電性細長材を複数本並列に配設し、同導電性細長材に駆動用電源より導電部を介して通電して所定の熱を発する電熱シートと、
上記電熱シートの上方に積層された麦飯石層と、を備え、
上記麦飯石層には、その中に麦飯石を封印した袋体を連続して複数個並べて配設したことを特徴とする麦飯石マット。
【請求項２】
上記導電性細長材は、炭素繊維、ニクロム線又は鉄ニクロム線であることを特徴とする請求項１に記載の麦飯石マット。
【請求項３】
上記電熱シートの下方には、ガラス繊維で形成されたガラス繊維層を配設したことを特徴とする請求項１又は請求項２に記載の麦飯石マット。
【請求項４】
上記電熱シートの上方かつ上記麦飯石の下方には、防水機能を有する防水層を配設したことを特徴とする請求項１〜請求項３のいずれか１項に記載の麦飯石マット。
【考案の詳細な説明】
【技術分野】
【０００１】
本考案は、暖を取ることができる温熱マットに関するものである。
【背景技術】
【０００２】
一般的に電熱シートは電流をその内部に設置された熱線に流したときに発生する熱を利用するものである。このような電熱シートは、シート形状なので施工は簡単で、破れる心配がないという長所を持っている。さらに、このような電熱シートは、油類、ガス、電気などをエネルギー源とする一般ボイラーに比べて暖房費を節約できるという長所や、部分暖房が可能であるという長所を備えており、近年その需要は増加する一方である。
【０００３】
このような電熱シートでは、当初、ニクロム線または鉄ニクロム線などが使用されていた。ところが、近年、低消費電力になるなど高効率である炭素繊維などのカーボンを主組成とする線材が使用されるようになっており、その使用が徐々に拡大しはじめている。
【０００４】
そこで、特許文献１に記載のように、炭素繊維を利用した電熱シートが、本出願人により開示されている。炭素繊維は、消費電力を最大限抑えながら、高発熱効率を実現したものであり、より実用的で、かつ価格やランニングコストなどの様々な面で競争力を備えるものである。
【先行技術文献】
【特許文献】
【０００５】
【特許文献１】特許第３９７６２０６号公報
【考案の概要】
【考案が解決しようとする課題】
【０００６】
また、上記電熱シートと共に、遠赤外線効果を有する麦飯石が注目を浴びている。この麦飯石は、多数の微細な孔を有する多孔質の天然石であり、その多孔質のために、有害物質・雑菌・悪臭の吸収・脱臭の働きを有すると共に、遠赤外線を放射する効果を有している。
【０００７】
そこで、本願出願人は、すでに取得済みの特許第３９７６２０６号の電熱シートに基づき、麦飯石の遠赤外線効果を利用することにより、電熱シートからの熱を効果的に高めて暖房効果を高めることを知見した。
【０００８】
この考案は、上記課題を解決するためになされたもので、麦飯石の遠赤外線効果を利用して暖房効果を高めることができる麦飯石マットを提供することを目的とする。
【課題を解決するための手段】
【０００９】
請求項１に記載の考案は、２枚のシート素材の間に、導電性細長材を複数本並列に配設し、同導電性細長材に駆動用電源より導電部を介して通電して所定の熱を発する電熱シートと、上記電熱シートの上方に積層された麦飯石層と、を備え、上記麦飯石層には、その中に麦飯石を封印した袋体を連続して複数個並べて配設したことを特徴とする
【００１０】
請求項２に記載の考案は、請求項１に記載の考案において、上記導電性細長材は、炭素繊維、ニクロム線又は鉄ニクロム線であることを特徴とする。
【００１１】
請求項３に記載の考案は、請求項１又は請求項２に記載の考案において、上記電熱シートの下方には、ガラス繊維で形成されたガラス繊維層を配設したことを特徴とする。
【００１２】
請求項４に記載の考案は、請求項１〜請求項３のいずれか１項の記載の考案において、上記電熱シートの上方かつ上記麦飯石の下方には、防水機能を有する防水層を配設したことを特徴とする。
【考案の効果】
【００１３】
請求項１に記載の考案によれば、２枚のシート素材の間に、導電性細長材を複数本並列に配設し、同導電性細長材に駆動用電源より導電部を介して通電して所定の熱を発する電熱シートと、上記電熱シートに上方に積層された麦飯石層と、を備え、上記麦飯石層には、その中に麦飯石を封印した複数個の袋体が所定間隔を有し並べて配設されているので、電熱シートから発せられる熱を麦飯石の遠赤外線効果を高めて放射することができ、これにより暖房効果の作用を高めることができる。
【００１４】
このように、上方に設けた麦飯石層の麦飯石による遠赤外線効果を利用することにより、電熱シートから発する熱を効率良く人体に浸透させ、これにより、暖房機能を高めることができる。また、その中に麦飯石を封印した複数個の袋体が連続して形成されているので、湯たんぽのような連続した凸状の袋体に、人体を直接的又は間接的に接触させるので、暖をとることができると共にマッサージ効果を高めることができる。
【００１５】
また、麦飯石マットは、電熱シートがシート形状で薄くて軽量であり、その全体がシート形状を有して軽量であるので、持ち運びが可能である。駆動用電源があれば、その駆動用電源から電熱シートに供給することにより、あらゆる場所でも使用することができる。
【００１６】
請求項２に記載の考案によれば、上記導電性細長材は、炭素繊維、ニクロム線又は鉄ニクロム線であるので、電熱シートの発熱体としてニクロム線又は鉄ニクロム線が使用され、炭素繊維自体が軽量であるので、電熱シート自体を軽量で薄く形成することができる。
【００１７】
また、導電性細長材により一定な配列ができるので高品質の電熱シートを生産することできると共に、事前に設定された間隔で配列された導電性細長材同士は互いに電磁波を相殺させるので全体的に電熱シートの電磁波を著しく減少させることができる。
【００１８】
請求項３に記載の考案によれば、上記電熱シートの下方には、ガラス繊維で形成されたガラス繊維層が被覆されるので、ガラス繊維層が耐熱性を有するため、マットを敷設する箇所の熱による損傷を防ぐことができる。
【００１９】
請求項４に記載の考案によれば、上記電熱シートの上方には、防水機能を有する防水層が被覆されているので、電熱シートは複数の導電性細長材に電気を流すので、通常複数の導電性細長材の間は絶縁性を保つ必要があるが、水で濡れると導電性細長材の間に電気が流れて、電熱シート自体が高熱になるおそれがある。そこで、電熱シートの上方に防水性を有する防水シートを施すことにより、汗が電熱シートに滴り落ちるのを防止することができる。
【図面の簡単な説明】
【００２０】
【図１】この考案の実施形態における麦飯石マットの全体構成を示した斜視図である。
【図２】この考案の実施形態における麦飯石マットの一部を破談した構造を示した斜視図である。
【図３】この考案の実施形態における麦飯石マットの各層を分解した構造を示した断面図である。
【図４】この考案の実施形態における電熱シートの構成を示した斜視図である。
【図５】この考案の実施形態における電熱シートの分解した構造を示した斜視図である。
【考案を実施するための形態】
【００２１】
本実施形態における麦飯石マットは、２枚のシート素材の間に、導電性細長材を複数本並列に配設し、同導電性細長材に駆動用電源より導電部を介して通電して所定の熱を発する電熱シートと、上記電熱シートの上方に積層された麦飯石層と、を備え、上記麦飯石層には、その中に麦飯石を封印した袋体を連続して複数個並べて配設している。
【００２２】
電熱シートは、一枚のシート形状を有し、使用者が暖を取る熱源を発するものである。電熱シートは、導電性細長材を複数本並列に配設したもので、その導電性細長材に駆動用電源より導電部を介して通電して所定の熱を発するものである。
【００２３】
導電性細長材としては、例えば、低消費電力になるなど高効率である炭素繊維などのカーボンを主組成とする線材が使用される。また、炭素繊維に限られず、ニクロム線又は鉄ニクロム線などを用いることもできる。
【００２４】
また、上記導電性細長材は、配設される２枚のシート内において、所定間隔を有して並列に配設している。また、導電性細長材の配列や間隔を一定に維持しているので、電熱シート使用時における電磁波の発生を著しく減少させることができ、また、導電性細長材同士のショートを無くし、電熱シートの信頼性が著しく向上する。
【００２５】
さらに、本実施形態における麦飯石マットは、電熱シートの上方に積層された麦飯石層を備え、その麦飯石層には、その中に麦飯石を封印した袋体を連続して複数個配設している。
【００２６】
配設する袋体の数、その大きさは限定されないが、連続して形成することにより湯たんぽの表面のような凹凸状を形成することが好ましい。
【実施例】
【００２７】
以下、本考案の実施例１について図面を用いて詳細に説明する。
【００２８】
まず、麦飯石マット１０の構造について説明する。麦飯石マット１０は、図１及び図２に示すように、２枚のシート素材１２の間に、導電性細長材を複数本並列に配設し、同導電性細長材に駆動用電源より導電部を介して通電して所定の熱を発する電熱シート１１と、電熱シート１１を挿入した袋状のカバー部材１７と、上記電熱シート１１の上方に積層され、カバー部材１７上に設けた麦飯石層１５とで構成されている。
【００２９】
電熱シート１１は、図３に示すように、少なくとも人体との接触側に配設されるシート素材１２の下方に、導電性細長材である炭素繊維１４を複数本並列に配設し、同炭素繊維１４に駆動用電源より導電テープ１３（導電部）を介して通電して所定の熱を発するようにしている。
【００３０】
電熱シート１１を構成するシート素材１２、導電テープ１３および下記の中間部材としては、可撓性を有するものが好ましい。
【００３１】
シート素材１２としては、紙製シート、布製シート、ビニルなどの合成樹脂製シートやフィルムなどが好ましいが、さらにいえば、非伸縮性のものが好ましい。伸縮がなければ、炭素繊維１４の相互間の距離が一定に維持され、電磁波がより確実に相殺され、電磁波の発生が抑制されるからである。
【００３２】
そして、炭素繊維１４の断線が防止され、炭素繊維１４相互の接触によるショートの発生や局部的な過加熱などの発生が防止される。また、いわゆるラミネートなどの熱圧着でシート素材１２同士を接着する場合、シート素材１２としてはラミネート可能なフィルムなどが好ましい。
【００３３】
なお、ここでいう伸縮性とは、熱圧着を用いる場合、熱圧着後の伸縮性のことである。シート素材１２としては、相対向するシート素材１２側の面に熱硬化性接着剤が塗布されているものを適用できる。上記２つのシート素材１２のうち少なくともいずれか一方は、透明など、両シート素材１２間に配置された炭素繊維１４を視認可能にする光透過性を有することもできる。
【００３４】
また、電熱シート１１を構成するシート素材１２として、黄土が含有された黄土シートを適用することができる。上記シート素材１２には、遠赤外線機能を発揮する黄土が含有されている。すなわち、シート素材１２に、黄土を練り込ませることにより形成している。黄土の酵素成分には、カタラーゼ（catalase）、ラッカーゼ（Diphenol oxydase）、サッカラーゼ（Saccharase）、プロテアーゼ（Protease）などが含まれている。
【００３５】
導電性細長材としての炭素繊維１４は複数配置される。各炭素繊維１４は、両シート素材１２の間に、中間部材（図示せず）などを配設して相互に電気的に絶縁された状態で並列配置される。そして、導電テープ１３を、１つ以上の炭素繊維１４（以下、一群の炭素繊維１４とも称する）の一端側に電気的に接続し、残る炭素繊維１４（以下、他群の炭素繊維１４とも称する）の一端側とは電気的に絶縁させる。
【００３６】
上記中間部材としては、絶縁テープと、当該絶縁テープの両面に付着した導電テープ１３とで構成されたものを用いることができる。また、これに限られず、２枚のシート素材１２の間に複数の炭素繊維１４の全体を覆うような絶縁性を有するものを配設してもよい。
【００３７】
そして、電熱シート１１には駆動用電源から導電テープ１３を介して電気が供給され、炭素繊維１４に電気を流して熱を直ぐに発するようにしている。すなわち、駆動用電源から導電テープ１３に電源が供給され、各炭素繊維１４に電気を通すようにしている。これにより、炭素繊維１４が発熱体として機能する。これにより、直ぐに発熱する電熱シート１１とすることができる。
【００３８】
また、電源の正極側を一端側の導電テープ１３に接続し、負極側を他端側の導電テープ１３に接続して一群の炭素繊維１４に電気を流す。また、電源の正極側を他端側の導電テープ１３に接続し、負極側を一端側の導電テープ１３に接続して他群の炭素繊維１４に電気を流す。これにより、一群のニクロム線に流れる電流の向きと、他群のニクロム線に流れる電流の向きとが互いに逆となり、電磁波を相殺させることができる。
【００３９】
そして、上記電熱シート１１は直流により駆動可能であり、一般家庭などの交流電源を用いてコンセントプラグ２２に連結し、コントローラ１６において、その交流電源を直流に変換して、電熱シート１１を駆動可能としている。また、コントローラ１６は、その内部に可変抵抗を有しており、コントローラ１６の上面に設けられた変更つまみ２１を回動することにより、可変抵抗の抵抗値を変更して、炭素繊維１４に流す電流値を可変とすることで、電熱シート１１の温度調節を可能としている。
【００４０】
次に、電熱シート１１の下方に配設されるガラス繊維層１８と、電熱シート１１の上方に配設される防水層１９について説明する。
【００４１】
上記袋状のカバー部材１７内であって、電熱シート１１の下方には、ガラス繊維で形成されたガラス繊維層１８を積層している。ガラス繊維層として、ガラス繊維を含むシート状の繊維層であればよい。
【００４２】
このように、電熱シート１１の下方にガラス繊維層１８を積層しているので、高温になっている上記電熱シート１１からの熱を遮断することができ、本実施形態における麦飯石マット１０全体が高温になるのを防止し、その麦飯石マット１０を敷設する箇所が高温になるのを防止することができる。
【００４３】
また、上記袋状のカバー部材１７内であって、電熱シート１１の上方には、防水機能を有する防水層１９が配設されている。防水層としては、防水機能を有するシート状の繊維層であればよく、例えば、ゴム製繊維層、ガラス繊維層でもよい。
【００４４】
このように、上記電熱シート１１の上方には、防水機能を有する防水層１９が被覆されているので、電熱シート１１は複数の導電性細長材に電気を流すので、通常複数の導電性細長材の間は絶縁性を保つ必要があるが、水で濡れると導電性細長材の間に電気が流れて、電熱シート１１自体が高熱になるおそれがある。そこで、電熱シート１１の上方に防水性を有する防水層１９を施すことにより、汗などの水分が電熱シート１１に滴り落ちるのを防止することができる。
【００４５】
さらに、上記麦飯石層１５には、その中に麦飯石を封印した袋体２０を連続して複数個並べて配設している。すなわち、麦飯石を所定形状に破砕したものを袋体２０に封印し、その袋体２０を連続して複数個配設している。そして、この連続して並べて配設した複数個の袋体２０により、湯たんぽの表面の凹凸状のようにその表面を形成している。
【００４６】
このように、麦飯石を封印した複数個の袋体２０が連続して配設されているので、湯たんぽのような連続した凸状の袋体２０に、人体を直接的又はカバー部材１７を通して間接的に接触させるので、麦飯石マット１０は暖をとることができると共にマッサージ効果を高めることができる。
【００４７】
この結果、本実施形態における麦飯石マット１０は、上方に設けた麦飯石層１５の麦飯石による遠赤外線効果を利用することにより、電熱シート１１から発する熱を効率良く人体に浸透させ、これにより、暖房機能を高めることができる。また、その中に麦飯石を封印した複数個の袋体２０が連続して形成されているので、湯たんぽのような連続した凸状の袋体２０に、人体を直接的又は間接的に接触させるので、暖をとることができると共にマッサージ効果を高めることができる。
【符号の説明】
【００４８】
１０  麦飯石マット
１１  電熱シート
１２  シート素材
１３  導電テープ
１４  炭素繊維
１５  麦飯石層
１６  コントローラ
１７  カバー部材
１８  ガラス繊維層
１９  防水層
【図１】
0003158041.tif 000003
【図２】
0003158041.tif 000004
【図３】
0003158041.tif 000005
【図４】
0003158041.tif 000006
【図５】
0003158041.tif 000007